(57)【要約】【課題】  周囲温度が予め設定された設定温度に達した場合に、その旨を知らせる。【解決手段】  周囲温度を測定する温度センサー２と、設定温度を入力する入力部６と、この入力部６によって入力された設定温度を記憶するＲＡＭ８と、音声を発信する音声発信手段５とを備えた発信機能付き温度計１。温度センサー２によって測定された周囲温度がＲＡＭ８に記憶された設定温度に達した際に、その温度を音声発信手段５から音声として発信する。【選択図】  図１
2006189313.tif 000002
【特許請求の範囲】
【請求項１】
周囲温度を測定する温度測定手段と、設定温度を入力する入力部と、この入力部によって入力された設定温度を記憶する設定値メモリーと、音声を発信する音声発信手段とを備え、
前記温度測定手段によって測定された周囲温度が前記設定値メモリーに記憶された設定温度に達した際に、その温度を前記音声発信手段から音声として発信する、
ことを特徴とする発信機能付き温度計。
【請求項２】
確認釦部を備え、この確認釦部がオンされると、前記温度測定手段によって測定された周囲温度を前記音声発信手段から音声として発信する、
ことを特徴とする請求項１に記載の発信機能付き温度計。
【請求項３】
周囲湿度を測定する湿度測定手段を備え、前記温度を前記音声発信手段から音声として発信する際に、前記湿度測定手段によって測定された周囲湿度を前記音声発信手段から音声として発信する、
ことを特徴とする請求項１または２に記載の発信機能付き温度計。
【請求項４】
周囲温度を測定する温度測定手段と、設定温度を入力する入力部と、この入力部によって入力された設定温度を記憶する設定値メモリーと、情報を赤外線信号や電波信号などの伝達信号として発信する信号発信手段とを備え、
前記温度測定手段によって測定された周囲温度が前記設定値メモリーに記憶された設定温度に達した際に、その温度を前記信号発信手段から伝達信号として発信する、
ことを特徴とする発信機能付き温度計。
【請求項５】
確認釦部を備え、この確認釦部がオンされると、前記温度測定手段によって測定された周囲温度を前記信号発信手段から伝達信号として発信する、
ことを特徴とする請求項４に記載の発信機能付き温度計。
【請求項６】
音声を発信する音声発信手段を備え、前記温度を前記信号発信手段から伝達信号として発信する際に、前記温度を前記音声発信手段から音声として発信する、
ことを特徴とする請求項４または５に記載の発信機能付き温度計。
【請求項７】
請求項４〜６のいずれか１項に記載の発信機能付き温度計を室内に配設した空調システムであって、
空調機本体に、前記発信機能付き温度計からの伝達信号を受信する受信部と、周囲温度を測定する温度センサーと、加熱冷却器や風向変更羽根などの温度調整手段と、この温度調整手段を制御する制御部とを有し、
前記発信機能付き温度計による温度と前記温度センサーによる温度とが、前記空調機本体に設定された空調設定温度になるように、前記制御部が前記温度調整手段を制御する、
ことを特徴とする空調システム。
【請求項８】
前記発信機能付き温度計による温度と前記温度センサーによる温度とを記憶、蓄積する温度データベースを有し、この温度データベースに記憶、蓄積された温度に基づいて、前記制御部が前記温度調整手段を制御する、
ことを特徴とする請求項７に記載の空調システム。
【発明の詳細な説明】
【技術分野】
【０００１】
本発明は、温度計（寒暖計）に関し、特に、周囲温度が予め設定された設定温度に達した場合に、その旨を知らせる温度計に関する。
【背景技術】
【０００２】
例えば、企業などにおいては、省エネルギー対策として、夏期に冷房を入れてもよい温度や、冬期に暖房を入れてもよい温度などが規定されている。このため、従業員などは、周囲温度がその規定温度になったか否かを、随時温度計を見て確認する必要があった。
【０００３】
一方、冷暖房機において、予め登録された「暑い」、「寒い」などの音声パターンを発することで、温度設定値を上げ下げするものが知られている（例えば、特許文献１参照。）。この冷暖房機は、予め登録された「暑い」、「寒い」などの音声パターンが入力されると、そのパターンに応じて温度設定値を修正し、周囲温度がこの修正された温度設定値になるように、冷却器および加熱器を制御するものである。
【０００４】
また、体温計において、測定した体温を音声で知らせるものも知られている（例えば、特許文献２参照。）。この体温計は、赤外線センサーと、この赤外線センサーからの出力信号を温度に換算する温度換算手段と、この温度換算手段による換算値を音声信号に換算する音声信号換算手段などを有し、赤外線センサーによる体温値（測定値）を音声によって出力するものである。
【特許文献１】特開平０５−２４０４９４号公報
【特許文献２】特開２０００−１３９８５２号公報
【発明の開示】
【発明が解決しようとする課題】
【０００５】
ところで、上記のように、周囲温度が規定温度になったか否かを、随時温度計を見て確認しなければならないため、その確認が煩わしく、また、業務などに集中できないおそれもあった。一方、上記特許文献１に記載されているような冷暖房機では、冷暖房機が稼働中に温度設定値を音声パターンによって調整（修正）することはできるものの、周囲温度が冷暖房機の冷房または暖房を起動させるための規定温度に達したことを知らせるものではない。また、上記特許文献２に記載されているような体温計では、体温値（測定値）を音声で知らせるものの、周囲温度などが所定の温度に達したことを知らせるものではない。
【０００６】
そこで本発明は、周囲温度が予め設定された設定温度に達した場合に、その旨を知らせることができる発信機能付き温度計を提供することを目的とする。
【課題を解決するための手段】
【０００７】
上記目的を達成するために請求項１に記載の発明は、周囲温度を測定する温度測定手段と、設定温度を入力する入力部と、この入力部によって入力された設定温度を記憶する設定値メモリーと、音声を発信する音声発信手段とを備え、温度測定手段によって測定された周囲温度が設定値メモリーに記憶された設定温度に達した際に、その温度を音声発信手段から音声として発信することを特徴とする発信機能付き温度計である。
【０００８】
請求項２に記載の発明は、請求項１に記載の発信機能付き温度計において、確認釦部を備え、この確認釦部がオンされると、温度測定手段によって測定された周囲温度を音声発信手段から音声として発信することを特徴としている。
【０００９】
請求項３に記載の発明は、請求項１または２に記載の発信機能付き温度計において、周囲湿度を測定する湿度測定手段を備え、温度を音声発信手段から音声として発信する際に、湿度測定手段によって測定された周囲湿度を音声発信手段から音声として発信することを特徴としている。
【００１０】
請求項４に記載の発明は、周囲温度を測定する温度測定手段と、設定温度を入力する入力部と、この入力部によって入力された設定温度を記憶する設定値メモリーと、情報を赤外線信号や電波信号などの伝達信号として発信する信号発信手段とを備え、温度測定手段によって測定された周囲温度が設定値メモリーに記憶された設定温度に達した際に、その温度を信号発信手段から伝達信号として発信することを特徴とする発信機能付き温度計である。
【００１１】
請求項５に記載の発明は、請求項４に記載の発信機能付き温度計において、確認釦部を備え、この確認釦部がオンされると、温度測定手段によって測定された周囲温度を信号発信手段から伝達信号として発信することを特徴としている。
【００１２】
請求項６に記載の発明は、請求項４または５に記載の発信機能付き温度計において、音声を発信する音声発信手段を備え、温度を信号発信手段から伝達信号として発信する際に、その温度を音声発信手段から音声として発信することを特徴としている。
【００１３】
請求項７に記載の発明は、請求項４〜６のいずれか１項に記載の発信機能付き温度計を室内に配設した空調システムであって、空調機本体に、発信機能付き温度計からの伝達信号を受信する受信部と、周囲温度を測定する温度センサーと、加熱冷却器や風向変更羽根などの温度調整手段と、この温度調整手段を制御する制御部とを有し、発信機能付き温度計による温度と温度センサーによる温度とが、空調機本体に設定された空調設定温度になるように、制御部が温度調整手段を制御することを特徴としている。
【００１４】
請求項８に記載の発明は、請求項７に記載の空調システムにおいて、発信機能付き温度計による温度と温度センサーによる温度とを記憶、蓄積する温度データベースを有し、この温度データベースに記憶、蓄積された温度に基づいて、制御部が温度調整手段を制御することを特徴としている。
【発明の効果】
【００１５】
請求項１に記載の発明によれば、周囲温度が設定温度に達すると、その温度が音声として発信されるため、随時温度計（寒暖計）を見て温度を確認する必要がない。このため、安心して業務などに集中できるとともに、発信された周囲温度に基づいて、空調機の起動、温度調整などを行い、室内を快適な温度に設定することができる。
【００１６】
請求項２に記載の発明によれば、確認釦部がオンされると、周囲温度が音声として発信されるため、視覚障害者などに対しても随意に周囲温度を容易かつ確実に知らせることができ、発信された周囲温度に基づいて、視覚障害者などが室内温度の調整を適切に行うことができるようになる。
【００１７】
請求項３に記載の発明によれば、温度とともに、周囲湿度が音声として発信されるため、発信された周囲湿度に基づいて、換気、除湿、加湿などを行い、室内の湿度を快適に調整、維持することができる。
【００１８】
請求項４に記載の発明によれば、周囲温度が設定温度に達すると、その温度が伝達信号として発信されるため、例えば、空調機（冷暖房機）がこの伝達信号を受信することで、空調機の起動、停止、温度調整などの自動制御が可能となる。
【００１９】
請求項５に記載の発明によれば、確認釦部がオンされると、周囲温度が伝達信号として発信されるため、例えば、空調機がこの伝達信号を随時受信することで、この伝達信号による周囲温度に基づいて、より緻密、的確な空調機の自動制御が可能となる。
【００２０】
請求項６に記載の発明によれば、温度が伝達信号とともに、音声としても発信されるため、室内の人にも容易に温度を知らせることができ、この温度に基づいて、人が空調機の起動、温度調整などを行うことができる。
【００２１】
請求項７に記載の発明によれば、発信機能付き温度計による温度と温度センサーによる温度とが、空調設定温度になるように温度調整手段が制御されるため、実際の室内温度にあった温度調整がなされる。すなわち、室内の実温度と空調機本体（温度センサー）が測定した温度とが異なる場合があり、特に、室内が広い、または、複雑な間取りをしているなどの場合には、室内の場所（位置）によって実温度も異なり、空調機本体が測定した温度と異なってくる。このため、空調機本体が測定した温度のみに基づいて温度調整を行うと、室内の実温度が所定の温度にならない場合が生じる。これに対し、本発明によれば、発信機能付き温度計による温度、すなわち発信機能付き温度計が配設された場所の実温度と、空調機本体の温度センサーによる温度とが、ともに空調設定温度になるように温度調整手段が制御されるため、実際の室内温度にあった温度調整がなされ、室内全体が均一かつ快適な温度に調整される。
【００２２】
請求項８に記載の発明によれば、温度データベースに記憶、蓄積された温度に基づいて、制御部が温度調整手段を制御するため、より緻密、的確な温度調整が可能となる。すなわち、発信機能付き温度計による温度（室内の実温度）と、空調機本体の温度センサーによる温度とを温度データベースに記憶、蓄積することで、２つの測定温度の温度差と制御部による温度調整手段への制御との相関関係や、温度履歴などを把握でき、この相関関係や温度履歴などに基づいて、緻密、的確な温度調整が可能となる。
【発明を実施するための最良の形態】
【００２３】
以下、本発明を図示の実施形態に基づいて説明する。
〈実施形態１〉
図１は、本実施形態に係る発信機能付き温度計１の構成図（ブロック図）である。この発信機能付き温度計１は、周囲温度を測定する温度センサー２（温度測定手段）、周囲湿度を測定する湿度センサー３（湿度測定手段）、温度や湿度などを表示する表示部４、音声を発信する音声発信手段５、設定温度などを入力する入力部６、温度などを確認する際にオンされる確認釦部７、設定温度などを記憶するＲＡＭ８（設定値メモリー）、プログラムなどが記憶されたＲＯＭ９および、これらを制御する制御部１０を備えている。
【００２４】
温度センサー２と湿度センサー３とは、それぞれ周囲温度と周囲湿度とを測定できるものであればよく、本実施形態では、温度センサー２としてサーミスタ、湿度センサー３として高分子湿度センサーを用いている。この温度センサー２と湿度センサー３とは、Ｉ/Ｏポート１１を介して制御部１０に接続され、測定された温度値および湿度値が、制御部１０に送られるようになっている。
【００２５】
表示部４は、図２に示すようなＬＣＤ（液晶ディスプレイ）であり、制御部１０からの出力信号（データ）に基づいて、温度や湿度などを表示するようになっている。また、この表示部４は、外観上、確認釦部７と同じになっている。すなわち、この表示部４はタッチパネルとなっており、この表示部４（確認釦部７）をタッチする（オンする）と、後述のように、温度および湿度が音声によって発信されるようになっている。また、音声発信手段５は、音源装置とスピーカとを備え、さらに、音源装置は、音声パターンが記憶されたメモリーと音声合成回路とを有している。そして、制御部１０から出力信号が送られると、この出力信号と音声パターンとに基づいて、音声合成回路が出力音声（音声メッセージ）を合成（作成）し、この音声メッセージをスピーカから発信するものである。この表示部４と音声発信手段５とは、Ｉ/Ｏポート１２を介して制御部１０に接続され、制御部１０から出力信号（データ）が送られるようになっている。
【００２６】
入力部６は、設定温度などを入力する操作部であり、具体的には、図２に示すように、アップ釦６ａ、ダウン釦６ｂおよび設定釦６ｃを有している。これらの釦６ａ〜６ｃが押されると、その釦６ａ〜６ｃに応じた信号がＩ/Ｏポート１３を介して制御部１０に送られ、設定釦６ｃが押された時点での設定温度が、ＲＡＭ８に記憶されるようになっている。また、上述のように、確認釦部７は、外観上、表示部４と同じタッチパネルとなっており、この確認釦部７がタッチされると、Ｉ/Ｏポート１３を介して信号が制御部１０に送られるようになっている。
【００２７】
次に、このような構成の発信機能付き温度計１の動作について説明する。
【００２８】
まず、入力部６より設定温度を設定すると、上述のように、設定温度がＲＡＭ８に記憶される。次に、制御部１０によって、周期起動タスク（周期的に起動されるプログラム）が一定の周期で起動される。この周期起動タスクは、周期的に周囲温度および周囲湿度を取得して表示部４に表示させるとともに、周囲温度が設定温度に達すると、その温度を音声発信手段５から音声として発信させるものである。具体的には、図３に示すフローチャートに基づいて処理を行う。
【００２９】
まず、温度センサー２と湿度センサー３とによって測定された周囲温度と周囲湿度とを、Ｉ/Ｏポート１１を介して取得し（ステップＳ１）、この温度、湿度がともに、前回サンプリング（取得）した温度、湿度と同値であるか否かを判定する（ステップＳ２）。そして、同値である場合には、処理を終了し、同値でない場合には、その値を表示部４に表示させる（ステップＳ３）。すなわち、Ｉ/Ｏポート１２を介して表示部４に温度値、湿度値および出力命令などを送ることで、表示部４にその温度値と湿度値とが表示される。次に、その温度値と湿度値とをＲＡＭ８に記憶し（ステップＳ４）、その温度値とＲＡＭ８に記憶された設定温度とが同じであるか否かを判定する（ステップＳ５）。そして、異なる場合には、ＲＡＭ８中の発信ビットをオフし（ステップＳ６）、処理を終了する。一方、設定温度と同値である場合には、既に音声メッセージが発信されたか否かを判定する（ステップＳ７）。そして、既に発信されている場合（発信ビットがオンの場合）には、処理を終了し、発信されていない場合（発信ビットがオフの場合）には、音声メッセージを発信させる（ステップＳ８）。すなわち、Ｉ/Ｏポート１２を介して音声発信手段５に温度値、湿度値および出力命令などを送ることで、上述のようにして音声メッセージが作成され、音声発信手段５のスピーカから、例えば、「設定温度になりました。温度は２８度、湿度は５５％です。」という音声メッセージと、アラーム音とが発信される。最後に、発信ビットをオンして（ステップＳ９）、処理を終了するものである。
【００３０】
このような処理フローによれば、既に音声メッセージが発信された場合（発信ビットがオンの場合）に、その後周囲温度が設定温度に保たれても、音声メッセージが再発（連発）されることがない。また、周囲温度が設定温度に達した後に設定温度から外れ（発信ビットがオフ）、再び周囲温度に達した際には、音声メッセージが発信される。なお、この周期起動タスクが起動される周期（温度、湿度のサンプリング間隔）および、ステップＳ５において周囲温度が設定温度と同じであるか否かを判定する際の許容範囲（誤差範囲）は、室内環境や要求精度などに応じて、決定すればよい。
【００３１】
以上のように、周囲温度が設定温度に達すると、その温度が音声メッセージとして発信されるため、従来のように、随時温度計（寒暖計）を見て温度を確認する必要がない。このため、例えば、その設定温度が冷房を入れてもよい規定温度である場合、温度（温度計）を気にすることなく安心して業務などに集中できるとともに、発信された周囲温度に基づいて、空調機の起動、温度調整などを行い、室内を快適な温度に設定することができる。しかも、温度が音声として発信されるため、設定温度などを忘れた場合でも、即座にその温度を認識することができる。さらに、温度とともに、周囲湿度が音声メッセージとして発信されるため、発信された周囲湿度に基づいて、換気、除湿、加湿などを行い、室内の湿度を快適に調整、維持することができる。
【００３２】
一方、室内の人が随意（任意）に温度や湿度を知りたい場合には、表示部４（確認釦部７）をタッチ（オン）すればよい。すなわち、確認釦部７がオンされると、その信号が制御部１０に送られ、上述した周期起動タスクと同様にして、温度センサー２と湿度センサー３とから周囲温度と周囲湿度とが取得され、例えば、「現在の温度は２８度、湿度は５５％です。」という音声メッセージが音声発信手段５のスピーカから発信される。
【００３３】
このように、表示部４（確認釦部７）をタッチすることで、周囲温度と周囲湿度とが音声メッセージとして発信されるため、視覚障害者などに対しても随意に周囲温度や周囲湿度を容易かつ確実に知らせることができる。そして、視覚障害者などは、発信された周囲温度や周囲湿度に基づいて、室内の温度や湿度の調整を適切に行うことができるようになる。
〈実施形態２〉
図４は、本実施形態に係る空調システム２１の概略構成図（ブロック図）である。この空調システム２１は、室内に配設される発信機能付き温度計２２と空調機本体２３とを備えた空調システムであって、発信機能付き温度計２２は、測定した周囲温度および周囲湿度を赤外線信号や電波信号などの伝達信号として発信する信号発信手段（図示せず）を備えている点で、実施形態１での発信機能付き温度計１と構成が異なるものである。この信号発信手段は、本実施形態では、セラミック発信素子、送信用赤外線ダイオードなどを有し、周囲温度および周囲湿度などの情報を赤外線信号のパターンとして、発信するものである。
【００３４】
空調機本体２３は、発信機能付き温度計２２からの赤外線信号を受信する受信部２４と、周囲温度を測定する温度センサー２５と、加熱器２６、冷却器２７および風向変更羽根２８などの温度調整手段と、発信機能付き温度計２２からの温度と温度センサー２５による温度などを記憶、蓄積する温度データベース２９および、これらを制御する制御部３０とを備えている。なお、この空調機本体２３は、受信部２４と温度データベース２９とを備えている点を除き、一般に広く使用されている空調機（冷暖房機）と同等の構成であり、ここでは、その詳細な説明は省略する。
【００３５】
次に、このような構成の空調システム２１の動作を、図５に基づいて説明する。ここでは、室内を冷房する場合について説明し、冷房を入れてもよい温度を２８度、空調機本体２３に設定する冷房設定温度（空調設定温度）も２８度とする。そして、発信機能付き温度計２２を室内のある場所、例えば、空調機本体２３から遠くに位置する場所に配設し、その設定温度を２８度に設定する。
【００３６】
まず、室内の人によって発信機能付き温度計２２の表示部４（確認釦部７）がタッチされ、または、周囲温度が２８度に達すると、発信機能付き温度計２２が周囲温度および周囲湿度を赤外線信号として発信し、この信号を受信部２４が受信する（ステップＳ１１）。次に、冷却器２７（冷房）が稼働中か否かを判定し（ステップＳ１２）、稼働中でなければ、受信した周囲温度が２８度以上か否かを判定する（ステップＳ１３）。そして、２８度以上であれば冷却器２７を起動させ（ステップＳ１４）、２８度未満であれば処理を終了する。一方、冷却器２７が稼働中の場合、温度センサー２５による測定温度を取得し（ステップＳ１５）、さらに、温度データベース２９から先に記憶された温度、処理内容、記憶時刻などのデータを取得する（ステップＳ１６）。続いて、発信機能付き温度計２２による温度と温度センサー２５による温度とが同温であるか否かを判定し（ステップＳ１７）、さらに、同温である場合に、冷房設定温度と同温であるか否かを判定して（ステップＳ１８）、これらの判定結果に基づいて温度調整手段を制御する。
【００３７】
すなわち、同温でかつ冷房設定温度である場合には、先の受信時に行った制御と同じ制御を続行し（ステップＳ１９）、同温であるが冷房設定温度ではない場合には、温度センサー２５による温度に基づいて行われる通常制御を実施、つまり、温度センサー２５による温度が冷房設定温度になるように温度調整手段を制御する（ステップＳ２０）。また、同温でない場合には、温度データベース２９から取得したデータに基づいて、発信機能付き温度計２２による温度と温度センサー２５による温度とが、冷房設定温度になるように温度調整手段を制御する（ステップＳ２１）。例えば、発信機能付き温度計２２による温度が２９度で、温度センサー２５による温度が２７度の場合、風向変更羽根２８の向きを制御する（発信機能付き温度計２２側に向ける）とともに、先に行った冷却器２７の温度制御と異なる温度制御（例えば、低温側への制御）を行う。また、蓄積されたデータに基づいて、２つの測定温度の温度差と温度調整手段への制御との相関関係を把握し、この相関関係や温度履歴などに基づいて、最適制御条件を演算し、温度調整手段を制御する。そして、これらの処理を行った後に、発信機能付き温度計２２および温度センサー２５による温度、処理内容、時刻などのデータを温度データベース２９に記憶するものである（ステップ２２）。
【００３８】
このようにして、発信機能付き温度計２２からの周囲温度に基づいて、冷却器２７の起動、温度調整手段の制御などが行われ、空調機本体２３の自動制御が可能となる。しかも、周囲温度が設定温度に達した際の発信機能付き温度計２２からの自動発信のみならず、確認釦部７がタッチされた際の発信によっても制御されるため、より緻密、的確な空調機本体２３の自動制御が可能となる。
【００３９】
また、本空調システム２１では、発信機能付き温度計２２による温度と温度センサー２５による温度とが、ともに冷房設定温度になるように温度調整手段が制御されるため、実際の室内温度にあった温度調整がなされる。すなわち、空調機本体２３から遠くに位置する場所の実温度と、空調機本体２３の温度センサー２５によって測定される温度とが異なるために、従来の空調機のように、温度センサー２５による温度が空調機に設定された冷房設定温度になるように制御するのみでは、実温度がその設定温度にならない場合が生じる。例えば、温度センサー２５による温度では２８度であっても、空調機本体２３から遠くに位置する場所の温度、すなわち、発信機能付き温度計２２によって測定される温度が、３０度である場合がある。これに対し、本空調システム２１では、発信機能付き温度計２２による温度と温度センサー２５による温度とが一致し、かつ、冷房設定温度になるように温度調整手段が制御されるため、実際の室内温度にあった温度調整がなされ、室内全体が均一かつ快適な温度に調整される。しかも、温度データベースに記憶、蓄積された温度、処理内容、時刻などに基づいて、温度調整手段が制御されるため、より緻密、的確な温度調整が可能となる。
【００４０】
ところで、本実施形態では、発信機能付き温度計２２からの赤外線信号を伝達信号としているが、発信機能付き温度計２２からの音声メッセージを伝達信号としてもよい。すなわち、受信部２４に音声認識手段を備え、この音声認識手段によって認識された温度などに基づいて、空調機本体２３（温度調整手段など）を制御するようにしてもよい。また、複数の発信機能付き温度計２２を室内の異なる場所に配設し、これら複数の発信機能付き温度計２２からの周囲温度に基づいて、空調機本体２３を制御するようにしてもよい。これにより、室内の各場所の実温度にあった温度調整が可能となり、温度調整がより緻密化、的確化される。さらに、発信機能付き温度計２２から発信される周囲湿度を温度調整手段の制御パラメータとしてもよい。すなわち、周囲温度と周囲湿度とから快適な温度を演算し、この快適温度を制御目標値として温度調整手段を制御するようにしてもよい。そしてこれにより、室内が実環境にあったより快適な温度となる。
【図面の簡単な説明】
【００４１】
【図１】実施形態１に係る発信機能付き温度計の構成図。
【図２】実施形態１に係る発信機能付き温度計の正面図。
【図３】実施形態１に係る発信機能付き温度計の周期起動タスクの処理フローを示すフローチャート。
【図４】実施形態２に係る空調システムの概略構成図。
【図５】実施形態２に係る空調システムの動作フローを示すフローチャート。
【符号の説明】
【００４２】
１          発信機能付き温度計
２          温度センサー（温度測定手段）
３          湿度センサー（湿度測定手段）
４          表示部
５          音声発信手段
６          入力部
７          確認釦部
８          ＲＡＭ（設定値メモリー）
９          ＲＯＭ
１０        制御部
２１        空調システム
２２        発信機能付き温度計
２３        空調機本体
【図１】
2006189313.tif 000003
【図２】
2006189313.tif 000004
【図３】
2006189313.tif 000005
【図４】
2006189313.tif 000006
【図５】
2006189313.tif 000007